(57)【特許請求の範囲】
【請求項１】
室内側から見える戸の内壁に固定され、かつ、内側のシリンダー部材１０用の嵌合窓４ａとこの嵌合窓から上下方向に所定距離離間して形成された表示窓４ｂとを有する建具用化粧板と、この化粧板の前記嵌合窓４ａに鍵穴が室内側から見えるように固定された前記シリンダー部材と、このシリンダー部材の回転可能な内筒体に一端部が固定されていると共に、該一端部に半径外方向に縦長に延設する他端部に前記表示窓の裏側に臨むように配設された識別部を有する係脱状態識別部材と、前記シリンダー部材の駆動力を変換する動力変換上下動部材２０と、この動力変換上下動部材２０と係合すると共に該動力変換上下動部材に対して水平方向に移動し、かつ施錠片３を備えた連動部材３０に係合しているサムターン３側の内部クラッチのクラッチ状態を解消させる制御板２５とから成り、前記識別部には、錠内部の係脱機構の係脱状態が、外出の際に「係合している状態なのか」、それとも「係合していない状態なのか」を視覚上識別することができる標識が設けられていることを特徴とする建具用錠内部の係脱機構の係脱状態確認装置。
【請求項２】
室内側から見える戸の内壁に固定され、かつ内側のシリンダー部材１０用の嵌合窓４ａとこの嵌合窓から上下方向に所定距離離間して形成された表示窓４ｂとを有する建具用化粧板と、この化粧板の前記嵌合窓４ａに鍵穴が室内側から見えるように固定されたシリンダー部材と、このシリンダー部材の回転可能な内筒体に固定された係合駆動部材と、この係合駆動部材の半径外方向に縦長に延設する係合腕に係合する被係合部を有し、かつ、前記表示窓に臨むように化粧板の裏側にスライド自在に配設された係脱状態識別部材と、前記シリンダー部材の駆動力を変換する動力変換上下動部材２０と、この動力変換上下動部材２０と係合すると共に該動力変換上下動部材に対して水平方向に移動し、かつ施錠片３を備えた連動部材３０に係合しているサムターン３側の内部クラッチのクラッチ状態を解消させる制御板２５とから成り、前記係脱状態識別部材の識別部は、キー操作によって回転体すると、係合駆動部材の係合腕によって左右にスライドし、錠内部の係脱機構の係脱状態が、外出の際に「係合している状態なのか」、それとも「係合していない状態なのか」を視覚上識別させることを特徴とする建具用錠内部の係脱機構の係脱状態確認装置。
【発明の詳細な説明】
【０００１】
【発明の属する技術分野】
本発明は、建具用錠内部の係脱機構の係脱状態確認装置に関する。建具用錠内部の係脱機構としては、例えば建具の一例としての引き違い戸に設けられた錠用サムターン係脱機構が適合する。建具用サムターン係脱機構は、普通一般の家庭に於いて、泥棒がガラスの一部をくり抜いて手を差込み、外からサムターンを移動させて解錠するのを防止するために使用されている。
【０００２】
【従来の技術】
一般に、引き違い戸錠は、内側引戸の框に外側引戸の受け金具と係合する施錠片を動かすための操作体（サムターン）が設けられている。例えば中央部に摘みを有する垂直板状のサムターンを下方へスライドさせると、取付け箱に設けられた連動部材を介して施錠片（鎌片）が掛合方向へと突出回転する。これに対してサムターンを上方方向へスライドさせると施錠片は後退方向へと回転する。
【０００３】
そこで、今仮に泥棒が留守宅に忍び込もうとしてガラスの一部をくり抜き、当該くり抜き部分から手を入れて内側のサムターンを操作した場合には、簡単に不正解錠が行われる可能性がある。
【０００４】
これを防止するために、外出する際に「サムターンの摘みを取り外す考え方」がある。確かに、摘みを取り外すと、泥棒はガラスをくり抜いても外から容易にサムターンをスライドさせることができないので、不正解錠に時間がかかり過ぎ、泥棒は室内に侵入するのを諦める可能性がでてくるという利点はある。しかしながら、相手は泥棒であるから、摘みがなくてもサムターンを移動させる可能性が残っている。また、摘みを取り外した場合、その保管場所に困り、時には「どこに摘みを置いたか」判らないことも日常的な経験則である。
【０００５】
そこで、出願人は、このような従来の問題点に鑑み、「引き違い戸錠用サムターン係脱機構」を特許庁に提案した（出願中）。この引き違い戸錠用サムターン係脱機構は、泥棒が仮にガラスをくり抜き、手を差入れてサムターンをスライドさせても引戸錠の施錠状態を解消させることができないことを目的とし、その基本的構成は、内側引戸の室外側に設けられた取付け収納箱にシリンダー部材の駆動力を変換する動力変換上下動部材を組込み、一方、内側引戸の室内側にクラッチボタン用支持筒を有するサムターンを設け、このサムターンと前記支持筒に組込まれたクラッチボタンを介して連動し、かつ、施錠片を回転させる連動部材を前記取付け収納箱に上下動可能に内装し、内側のシリンダー部材をキーで操作すると、連動部材に係合している前記クラッチボタンのクラッチ状態を解消させることができるように、動力変換上下動部材の移動方向に対して交差方向へ移動する制御板を連動部材と動力変換上下動部材の間に組込んだことを特徴とする。
【０００６】
この新規な先願発明は、一般に居住者は室内にいる場合には「クラッチ係合状態」にし、一方、居住者は外出する際には、シリンダー部材を操作して「クラッチ非係合状態（お出かけ状態）」にする訳であるが、居住者にとって、「室内からは、お出かけ状態にしたか否かの判別」を、視覚上、容易にできないと言う問題点を有している。
【０００７】
【発明が解決しようとする課題】
本発明の第１の目的は、建具用錠内部の係脱機構の係脱状態を視覚上容易に判別することである。この目的を具体的に言えば、錠の種類によっては、その内部の係脱機構の係脱状態が、例えば外出の際に防犯上重要な意味合いを有する場合に、「お出かけ状態にしたか否か」の判別を、視覚上、容易にわかるようにし、外出の際には、極力、錠内部の係脱機構（サムターン係脱機構のクラッチ）の状態を、「クラッチ非係合状態（お出かけ状態）」にするように喚起することである。
【０００８】
したがって、居住者に対する外出時の防犯行為を期待することである。また視点を変えると、錠内部の係脱機構の係脱状態が、例えば痴呆症の老人を管理する管理者の立場から言えば、人に対して管理上重要な意味合いを有する場合に、錠内部の係脱機構の状態が「クラッチ係合状態（きちんと管理している場合）」か、それとも「クラッチ非係合状態（鍵をかけるのを忘れ、管理不十分である場合）」であるかを視覚上容易に判別することができることである。本発明の第２の目的は、構成する部品点数を少なくすることである。第３の目的は、実施例によっては、暗い所でも、係合状態の識別力を十分に発揮させることができることである。第４は、錠内部の係脱機構の係脱状態が、「係合している状態なのか」、それとも「係合していない状態なのか」を視覚上識別させる係脱状態識別部材を備えた建具を提供することである。
【０００９】
【課題を解決するための手段】
建具用錠内部の係脱機構の係脱状態確認装置は、室内側から見える戸の内壁に固定され、かつ、内側のシリンダー部材１０用の嵌合窓４ａとこの嵌合窓から上下方向に所定距離離間して形成された表示窓４ｂとを有する建具用化粧板と、この化粧板の前記嵌合窓４ａに鍵穴が室内側から見えるように固定された前記シリンダー部材と、このシリンダー部材の回転可能な内筒体に一端部が固定されていると共に、該一端部に半径外方向に縦長に延設する他端部に前記表示窓の裏側に臨むように配設された識別部を有する係脱状態識別部材と、前記シリンダー部材の駆動力を変換する動力変換上下動部材２０と、この動力変換上下動部材２０と係合すると共に該動力変換上下動部材に対して水平方向に移動し、かつ施錠片３を備えた連動部材３０に係合しているサムターン３側の内部クラッチのクラッチ状態を解消させる制御板２５とから成り、前記識別部には、錠内部の係脱機構の係脱状態が、外出の際に「係合している状態なのか」、それとも「係合していない状態なのか」を視覚上識別することができる標識が設けられていることを特徴とする。
【００１０】
また建具用錠内部の係脱機構の係脱状態確認装置は、室内側から見える戸の内壁に固定され、かつ内側のシリンダー部材用の嵌合窓４ａとこの嵌合窓から上下方向に所定距離離間して形成された表示窓４ｂとを有する建具用化粧板と、この化粧板の前記嵌合窓４ａに鍵穴が室内側から見えるように固定されたシリンダー部材と、このシリンダー部材の回転可能な内筒体に固定された係合駆動部材と、この係合駆動部材の半径外方向に縦長に延設する係合腕に係合する被係合部を有し、かつ、前記表示窓に臨むように化粧板の裏側にスライド自在に配設された係脱状態識別部材と、前記シリンダー部材の駆動力を変換する動力変換上下動部材２０と、この動力変換上下動部材２０と係合すると共に該動力変換上下動部材に対して水平方向に移動し、かつ施錠片３を備えた連動部材３０に係合しているサムターン３側の内部クラッチのクラッチ状態を解消させる制御板２５とから成り、前記係脱状態識別部材の識別部は、キー操作によって回転体すると、係合駆動部材の係合腕によって左右にスライドし、錠内部の係脱機構の係脱状態が、外出の際に「係合している状態なのか」、それとも「係合していない状態なのか」を視覚上識別させることを特徴とする。
【００１１】
【発明の実施の形態】
図１乃至図１０は、建具Ｚに適用した本発明の第１実施例を示す各説明図で、特に図１乃至図３、図４及び図６は、本発明の一例を示す。また図５、図７乃至図１０は、本発明の第１実施例を利用した錠内部の係脱機構の一例を示す。
【００１２】
（１）発明の実施の環境
まず本発明の第１実施例を建具（例えば引き違い戸）Ｚに適用した発明の実施の環境について説明する。また、本実施例では、引き違い戸錠用サムターン係脱機構Ｘに適用した例で説明する。このサムターン係脱機構Ｘは、図５以下で示すように、図示しない内側引戸の框に組み込まれた単数又は複数個の取付け収納箱１又はサムターン２を基準として内側引戸Ｚに設けられている。３は施錠片の一例としての鎌片で、この鎌片３は図示しない外側引戸の受け金具に回転掛合する。内側引戸Ｚの中に収められる一つの取付け収納箱２は、固着手段を介して内側引戸の室外側から固定される。一方、長板状のサムターン２を上下方向に案内する外枠部材としての化粧板４並びにサムターン２を内側から支持する受け部材（図示しない）は、室内側から固定される。以下、本発明の実施の環境に関連する部分について順次説明するが、細部的な事項はその説明を割愛する。
【００１３】
（２）内側のシリンダー部材
１０は化粧板４の嵌合孔４ａに突出先端部が嵌合するシリンダー部材で、このシリンダー部材１０は、外筒体１１と、この外筒体１1に回転可能に設けられた内筒体１２とから成る。前記内筒体１２の突出先端部には、後述する係合駆動部材が嵌着した際にその係合突起が係合する横溝１３が複数個設けられている。横溝１３は、突出先端部の周壁に所定間隔を有して軸方向に形成されている。シリンダー部材１０の内端部から突出する駆動軸には、動力変換機構の一部を構成する駆動歯車（ピニオン）１４が設けられている。シリンダー部材１０は、例えば外側引戸に取付けた外側シリンダーにも使える共用キーＫによってその駆動軸が回転する。
【００１４】
（３）取付け収納箱
図８で示すように、取付け収納箱１は中空角柱状に形成され、上端部には一側壁から上方に延びた取付け壁１ａが、また、下端部には施錠片３が十分に回転後退することかできるように逃し用切欠部１ｂが形成されている。この取付け収納箱１の形態は、任意に形成することができるが、他の部材との関係で複数個の軸孔、突起軸、上下動部材用案内部などが設けられている。
【００１５】
しかして、１５は左右の側壁下部に形成した鎌片用軸孔、１６は左右側壁の上端部寄りの部位に形成され、かつ、水平移動可能な制御板を案内する内側突起軸である。また１７は左右の側壁と交差する側壁に形成された縦長嵌合孔或いは切欠部である。
【００１６】
（４）動力変換上下動部材
２０は取付け収納箱１に組込まれた動力変換上下動部材である。この動力変換上下動部材２０は、縦長ブロック形状の係合駆動部２１と、この係合駆動部２１の一側壁から垂直板状に上方に延びるラック部２２とから成る。係合駆動部２１の左右の側壁には、上下に所要の間隔を有して一対の突起軸２３，２３が設けられ、取付け収納箱１の上部側に内装される。一方、動力変換機構の一部を構成するラック部２２は、取付け収納箱１の上端面開口から突出し、シリンダー部材１０の駆動歯車１４に噛合している。
【００１７】
（５）制御板
２５は取付け収納箱１の上部に内装された制御板である。制御板２５は、上下の端面がチャンネル形状（コ字型）に形成され、動力変換上下動部材２０或いは取付け収納箱１に対して水平移動可能に設けられている。すなわち、２６は左右の側壁の中央部にそれぞれ形成され、かつ、取付け収納箱１の左右の突起軸１６，１６にそれぞれ係合する左右一対の水平案内長孔である。また２７は左右の側壁の上下部にやや斜めの状態にそれぞれ形成され、かつ、動力変換上下動部材２０の左右の突起２３，２３が係合する傾斜案内長孔である。
【００１８】
したがって、制御板２５は動力変換上下動部材２０が駆動歯車１４の駆動力により鉛直方向に昇降動すると、左右の突起２３，２３の位置が上方又は下方へと移行することになるから、カム機能を有する傾斜案内長孔２７，２７によって進退動をする。この時制御板２５は取付け収納箱１の突起軸１６，１６に水平案内長孔２６，２６が係合しているので、突起軸１６，１６に支持された状態で水平移動する。
【００１９】
（６）連動部材
長板枠状連動部材３０も動力変換上下動部材２０と同様に取付け収納箱１内に上下方向へとスライド可能に内装されている。この連動部材３０には取付け収納箱１に横設軸架された横軸に係合する垂直案内長孔などが形成されているが、細部的事項なので省略してある。
【００２０】
３２は連動部材３０の下部の左右側壁（端板）３１に設けられた可動軸で、施錠片３の幅広後端部３ａはこの可動軸３２に、例えばＴ字型状係合孔を介して係合している。取付け収納箱１の下端部には軸孔１５が形成されているが、これらの軸孔１５に施錠片用の支軸３３が取付けられる。施錠片３は所定位置にてこの支軸３３を介して回転し、一方、連動部材３０はサムターン２と係合した場合には上下に連動するので、本実施例では支軸３３が邪魔にならないように左右側壁３１の下部を指先状に切欠形成してある。
【００２１】
また３５は前壁（端板に対する中央板）である。ここでは説明の便宜上、前壁３５と称するが、本実施例ではこの前壁３５は、下部側の垂直壁３５ａと、上部側に設けられかつ該垂直壁３５ａよりも多少後方側へオフセットされた係合垂直壁３５ｂとに区分けされている。
【００２２】
しかして、前記係合垂直壁３５ｂには、上端部から下端部に至って逃し用垂直案内長孔３６が形成され、さらに、この垂直案内長孔３６の略中央部には、該垂直案内長孔よりも大径の係合孔３７が連通形成されている。ところで、係合垂直壁３５と直交する左右の側壁（端板）３１の上端部は、L型状に切欠されている。また連動部材３０は、前壁３５を基準にして左右の側壁３１が折り曲げ形成されたチャネル形態であり、
前述した制御板２５及び動力変換上下動部材２０は、この連動部材３０の上部内で可動する。
【００２３】
（７）サムターン
次にサムターン２について説明する。サムターン２は、外側部材としての化粧板４と内側の受け部材との間を上下動するスライド部２ａと、このスライド部２ａの外壁面端部寄りの部位に突設された摘み部２ｂと、前記スライド部２ａの一端部に摘み部とは反対側に突設されたクラッチボタン用支持筒４０と、この支持筒４０の一端開口収納部４１にバネ４２に付勢された状態で組込まれたクラッチボタン４３と、このクラッチボタン４３が外れないように固着手段を介して支持筒４０の端面に固定された矩形状小支持板４４とから構成されている。
【００２４】
しかして、前記クラッチボタン４３は、フランジ部４３ａと、このフランジ部４３ａから突出する大径係合部４３ｂと、この大径係合部４３ｂから突出する小径係合部４３ｃとから成る。また前記小支持板４４には、支持筒４０の端面に形成したネジ孔４０ａと符合する貫通孔小孔４４ａや前記クラッチボタン４３の大径係合部４３ｂが摺動係合する支持係合孔４４ｂがそれぞれ形成されている。
【００２５】
上記構成に於いて、図７及び図８を参照にしてサムターン係脱機構Ｘのクラッチボタン４３が連動部材３０から係合状態（クラッチ）が解かれる場合について説明する。
【００２６】
（８）サムターン係脱機構Ｘのクラッチの係脱状態
ここで、本発明の係脱状態確認装置Ｙに関連するので、サムターン係脱機構Ｘの内部クラッチの係脱状態について説明する。
【００２７】
まず、図４の場合は、居住者が外出しようとしてシリンダー部材１０のキー穴１０ａにキーＫを差込み、時計方向に９０度回した状態を示すが、この時サムターン係脱機構Ｘのクラッチの係脱状態は、図５で示すようになる。すなわち、屋内にいる時は、一般にクラッチボタン４３の大径係合部４３ｂが連動部材３０の係合垂直壁３５ｂの係合孔３７に係合している（図７参照）が、今仮にお出かけの際にサムターン２をフリーな状態にしようと思い、外側シリンダーにも使える共用キーＫをシリンダー部材１０にキー穴１０ａに差込み、係合解除方向へ回したとする。
【００２８】
この時、駆動歯車１４が回転すると、当然動力変換上下動部材２０は当然移動（下降）する。そうすると、前述したように制御板２５は突起軸１６に案内されながら連動部材３０側へ前進する。その結果、クラッチボタン４３は、バネ４２のバネ力に抗しながら制御板２５の前壁２５ａに押されるので、その大径係合部４３ｂは係合垂直壁３５ｂの係合孔３７から外れる（図５の拡大部分を参照：錠内部の係合状態：解消）。
【００２９】
したがって、サムターン２の摘み部２ｂを摘んで上下方向に操作しても、クラッチボタン４３の小径係合部４３ｃが逃し用垂直案内長孔３ｂ内を移動するだけなので、連動部材３０にサムターン２側の動力が伝わらない（図１０参照）。それ故に、泥棒によって施錠片３の施錠状態が解かれる心配がない。
【００３０】
これに対し、図６の場合は、居住者が外出先から帰ってきて、家にいる場合である。家にいる場合には、一般にサムターンを施錠（係合）状態にするので、シリンダー部材１０のキー穴１０ａにキーＫを差込み、半時計方向に９０度回すが、この時サムターン係脱機構Ｘのクラッチの係脱状態は、図７で示すようになる。すなわち、共用キー１４で駆動歯車１４を逆方向へ回転させると、動力変換上下動部材２０は上昇し、制御板２５は傾斜案内長孔２７，２７等に案内されながら動力変換上下動部材２０側へと戻る。その結果、クラッチボタン４３は、バネ４２のバネ力により制御板２５に追従して突出し、その大径係合部４３ｂが係合垂直壁３５ｂの係合孔３７に係合する（図７の拡大部分を参照：錠内部の係合状態：係合）。
【００３１】
したがって、サムターン２を、本実施例では上方方向へスライドさせると、連動部材３０はクラッチボタン４３を介して上方へと移動する。
【００３２】
（９）係脱機構の係脱状態確認装置
そこで、図１乃至図７を基準にして本発明の主要部について説明する。なお、説明の便宜上、符号はそのまま同一の符号を用いる。前述したように符号４は室内側から見える戸の内壁に固定され、かつ表示窓４ｂを有する化粧板である。化粧版４は長板状に形成され、その裏側には、図３で示すように取付け部４ｃや横向き凹所４ｄが形成されている。またシリンダー部材用ないし係脱状態確認装置用の支持箱を化粧版４の裏側に適宜固定しても良いが、本実施例では、取付け部４ｃの下方に複数個の水平支持部４ｅ、４ｅを形成している。しかして、前記表示窓４ｂの形状は特に限定するものではないが、係脱状態識別部材６の識別部８のスライド位置との関係を考慮し、本実施例では縦長に形成されている。なお、化粧板４は、内側のシリンダー部材用の嵌合窓４ａとこの嵌合窓から上下方向に所定距離離間して形成された表示窓４ｂとを有する。
【００３３】
次に符合１０は、化粧板４に鍵穴１０ａが室内側から見えるように固定されたシリンダー部材で、このシリンダー部材１０は、前述したように外筒体１１と、この外筒体１１に所定量（例えば９０度）回転可能に設けられた内筒体１２とから成る。内筒体１２の突出先端部の一部は、化粧版４の嵌合孔４ａに嵌合し、またその余の外周壁には、前述したように被係合部としての複数個の横溝１３が形成されている。
【００３４】
次に５はシリンダー部材１０の内筒体１２の突出先端部に固定された係合駆動部材で、この係合駆動部材５は、図１で示すように突出先端部に嵌合する環状の嵌合部５ａと、この嵌合部５ａの適宜部位から下方方向に延設する係合腕５ｂと、この係合腕５ｂの端部の前面に突設された係合突起５ｃとから成る。しかして、前記環状嵌合部５ａの内周壁には、内筒体１２の横溝１３と係合する複数個の係合爪が突設されている。
【００３５】
次に６は中央部の上部に係合駆動部材５の係合腕５ｂに係合する切欠状被係合部７を有し、かつ、化粧板４の表示窓４ｂに臨むように該化粧板の裏側にスライド自在に配設された係脱状態識別部材である。係脱状態識別部材６は、本実施例では、係合駆動部材５とは別体であり、やや横長状の板形状に形成されている。
【００３６】
しかして、８は被係合部７以外の識別部で、この識別部８の前面には、錠内部の係脱機構Ｘの係脱状態が、「係合している状態なのか」、それとも「係合していない状態なのか」を視覚上識別させる標識８ａが施されている。この標識８ａは、本実施例では左側半分が「係合している状態を意味する色彩又は／および文字」であるのに対し、右側半分が「係合していない状態を意味する色彩又は／および文字」である。例えば左側半分が「赤色：危険」で、左側半分が「青色：外出安全」の如くである。したがって、識別部８は、二色以上からなるので、模様である。もちろん、有色彩ないし模様を除き、文字のみでも良いが、このような場合には左側半分が「クラッチ係合」、右側半分が「クラッチ解除」のように記載される。さらに、標識８ａに蛍光塗料層や蓄光表示層を設けて部屋が暗い状態の時でも識別できるように工夫されている。
【００３７】
次に９は押え板で、この押え板９は化粧板４の水平支持部４ｅの一つに適宜に固定され、係脱状態識別部材６を案内するガイド機能を発揮している。なお、押え板９も含め、係脱状態識別部材６などを矩形状の支持枠に収めることもできる。
【００３８】
上記構成に於いて、キーＫ操作によってシリンダー部材１０の内筒体１２が回転すると、内筒体１２と一体の係合駆動部材５は内筒体１２と同方向に回転するから、係脱状態識別部材６は係合腕５ｂによって左右にスライドする。したがって、係脱状態識別部材６の標識８ａの左側半分か、又は右側半分かのいずれかが選択的に化粧板４の表示窓４ｂに現れる。本実施例では、前述したように、図４で示すように内筒体１２が時計方向に回転すると、係脱状態識別部材６は矢印で示すように左にスライドし、標識８ａの右側半分の部分が見えるので、錠内部の係脱機構Ｘの係脱状態が、「係合していない状態である」ことが判る。これに対し、図６で示すように内筒体１２が半時計方向に回転すると、係脱状態識別部材６は矢印で示すように右にスライドし、標識８ａの左側半分の部分が見えるので、錠内部の係脱機構Ｘの係脱状態が、「係合している状態である」ことが判る。
【００３９】
【実施例】
この欄では第２実施例について説明する。なお、第２の実施例の説明にあたって、第１実施例と同一又は同様（機能が同一）の部分には、同一又は同様の符号を付し、重複する説明を省略する。
【００４０】
図１１乃至図１４に示す第２実施例に於いて、第１実施例と主に異なる点は、識別表示手段について、第１実施例の係合駆動部材５と係脱状態識別部材６とを一体化し、「一物品」に構成していること。ここでは、この一物品を便宜上「係脱状態識別部材６Ａ」と称する。
【００４１】
しかして、５１はシリンダー部材１０の内筒体１２の突出先端部に嵌合固定された環状嵌合部である。５２は嵌合部５１の適宜部位から下方方向に延設する連結腕で、この連結腕５２の端部は前方に折り曲げされ、突起部となっている。５３は連結腕５２の下端部に弧状に連設形成され、かつ化粧板４Ａの表示窓４ｂの裏側に臨むように配設された識別部で、この識別部５３には、錠内部の係脱機構の係脱状態が、「係合している状態なのか」、それとも「係合していない状態なのか」を視覚上識別することができる標識８ａが設けられている。
【００４２】
したがって、この実施例の係脱状態識別部材６Ａは、スライド型ではなく、キーＫ操作によって回転する内筒体と同じ方向に摺動する振り子型の一つの部材であるから、図１３で示すように回転体としての内筒体１２が時計方向に回転すると、係脱状態識別部材６Ａは矢印で示すように左に揺れ、標識８ａの右側半分の部分が表示窓４ｂから見える。それ故に、錠内部の係脱機構Ｘの係脱状態が、「係合していない状態である」ことが判る。これに対し、図１４で示すように内筒体１２が半時計方向に回転すると、係脱状態識別部材６は矢印で示すように右に揺れ、標識８ａの左側半分の部分が見える。それ故に、錠内部の係脱機構Ｘの係脱状態が、「係合している状態である」ことが判る。
【００４３】
【発明の効果】
以上の説明から明らかなように、本発明にあっては、建具用の錠の種類によっては、その内部の係脱機構の係脱状態が、例えば外出の際に防犯上重要な意味合いを有する場合に、居住者に対して「お出かけ状態にしたか否か」の判別を、視覚上、容易に判る。換言すれば、居住者は、外出の際に、化粧板の表示窓から見える識別標識を見ることにより、忘れている場合には錠内部の係脱機構、例えばサムターン係脱機構のクラッチの状態を、「クラッチ非係合状態（お出かけ状態）」にする習慣が身に付くので、外出時の防犯行為を期待することができる。なお、視点を変えると、人を管理する管理者の立場からは、「クラッチが係合状態か否か」を、視覚上容易に判別することができる。
【００４４】
また、本発明では建具用の化粧板に表示窓を形成し、一方、この表示窓から識別部を有する係脱状態識別部材がシリンダー部材の回転体の駆動力により左右に移動する構成なので、構成する部品点数を少ない。さらに、係脱状態識別部材の実施例如何によっては、暗い所でも、係合状態の識別力を発揮させることができる。加えて、実施形態で説明したサムターン係脱機構は、お出かけの際にシリンダー部材にキーを差込んで操作すると、シリンダー部材の駆動歯車と噛合う動力変換上下動部材が移動し、これにより制御板が前進して連動部材に係合中のクラッチボタンを押し下げ、いわゆるクラッチ状態を解いてしまうので、泥棒が仮にガラスをくり抜き、手を差入れてサムターンをスライドさせても連動部材はサムターンに連動しない。それ故に、泥棒は引戸錠の施錠状態を解消させることができない。
【図面の簡単な説明】
図１乃至図１０は本発明の第１実施例を示す各説明図である。図１１乃至図１４は本発明の第２実施例を示す各説明図である。
【図１】第１実施例の主要部を示す分解斜視図。
【図２】化粧板の正面から見た場合の主要部の説明図。
【図３】図２の３−３線概略断面説明図。
【図４】内筒体が時計方向に回転した場合の説明図。
【図５】図４の場合に於いて、錠内部のサムターン係脱機構の係脱状態（係合解除）の説明図。
【図６】内筒体が反時計方向に回転した場合の説明図。
【図７】図６の場合に於いて、錠内部のサムターン係脱機構の係脱状態（係合）の説明図。
【図８】本発明の主要部を含むサムターン係脱機構の分解斜視図。
【図９】キー操作により動力変換上下動部材を介し、制御板が作動する旨の概略説明図。
【図１０】サムターン係脱機構の連動部材とクラッチボタンとの関係を示す説明図。
【図１１】第２実施例の主要部を示す分解斜視図。
【図１２】主要部の概略断面説明図。
【図１３】内筒体が時計方向に回転した場合の説明図。
【図１４】内筒体が反時計方向に回転した場合の説明図。
【符号の説明】
Ｘ…サムターン係脱機構、Ｙ…係脱状態確認装置、Ｚ…建具、Ｋ…キー、２…取付け収納箱、２…サムターン、３…施錠片、４，４Ａ…化粧板、４ａ…嵌合孔、４ｂ…表示窓、４ｃ…取付け部、４ｄ…凹所、４ｅ…水平支持部、５…係合駆動部材、５ａ，５１…嵌合部、５ｂ…係合腕、５ｃ…係合突起、６，６Ａ…係脱状態識別部材、８，５３…識別部、８ａ…標識、９…押え板、１０…シリンダー部材、１１…外筒体、１２…内筒体、１３…横溝、５２…連結腕、１０…シリンダー部材、１４…駆動歯車、１４…キー、１５…鎌片用軸孔、１６，２３…突起軸、２０…動力変換上下動部材、２１…係合駆動部、２２…ラック部、２５…制御板、２６…水平案内長孔、２７…傾斜案内長孔、３０…連動部材、３１…左右側壁（端板）、３２…可動軸、３３…支軸、３５…前壁、３５ａ…垂直壁、３５ｂ…係合垂直壁、３６…垂直案内長孔、３７…係合孔、４０…クラッチボタン用支持筒、４２…バネ、４３…クラッチボタン、４３ｂ…大径係合部、４３ｃ…小径係合部、４４…小支持板。
【図１】
0004079305.tif 000002
【図２】
0004079305.tif 000003
【図３】
0004079305.tif 000004
【図４】
0004079305.tif 000005
【図５】
0004079305.tif 000006
【図６】
0004079305.tif 000007
【図７】
0004079305.tif 000008
【図８】
0004079305.tif 000009
【図９】
0004079305.tif 000010
【図１０】
0004079305.tif 000011
【図１１】
0004079305.tif 000012
【図１２】
0004079305.tif 000013
【図１３】
0004079305.tif 000014
【図１４】
0004079305.tif 000015